(57)【要約】【課題】光の照射機能および優れた携帯性を有する口腔衛生装置を提供する。【解決手段】電動歯ブラシは、ブラシ体を有する装置本体と、ブラシ体を覆うキャップ５０とを有する。キャップ５０は、ブラシ体を殺菌する殺菌装置８０と、ブラシ体が配置される内部空間５０Ａと、内部空間５０Ａと外部とを互いに連通する通気路６０とを有する。通気路６０は、殺菌装置８０の紫外線が内部空間５０Ａから漏れることを抑制する漏洩抑制構造を有する。【選択図】図５
2013111128.tif 000002
【特許請求の範囲】
【請求項１】
衛生部分を有する装置本体と、前記衛生部分を覆うキャップとを有する口腔衛生装置において、
前記キャップは、前記衛生部分が配置される内部空間と、前記内部空間と外部とを互いに連通する通気路とを有し、
前記装置本体および前記キャップの少なくとも一方は、前記内部空間に光を照射する光源を有し、
前記通気路は、前記光源の光が前記内部空間から漏れることを抑制する漏洩抑制構造を有する。
【請求項２】
請求項１において、
前記キャップは、前記光源を有する。
【請求項３】
請求項２において、
前記光源は、前記キャップの内面において前記衛生部分と対向する箇所に位置する。
【請求項４】
請求項１〜３のいずれか一項において、
前記キャップは、前記装置本体の周囲を覆う周壁部分と、前記周壁部分の開口部分を閉塞する閉塞壁部とを有し、
前記通気路は、前記閉塞壁部に形成される。
【請求項５】
請求項４において、
前記閉塞壁部は、前記キャップの長手方向に配列される第１閉塞壁部および第２閉塞壁部を有し、
前記第１閉塞壁部および前記第２閉塞壁部は、前記キャップの長手方向において前記キャップの先端側から前記第１閉塞壁部および前記第２閉塞壁部の順に位置し、
前記第１閉塞壁部は、前記通気路の一方の開口部分としての第１通気孔を有し、
前記第２閉塞壁部は、前記通気路の他方の開口部分としての第２通気孔を有する。
【請求項６】
請求項５において、
前記漏洩抑制構造は、前記キャップの長手方向に直交する仮想の平面を基準平面とし、この基準平面に投影される前記第１通気孔の投影図および前記第２通気孔の投影図をそれぞれ第１投影図および第２投影図として、前記第１投影図および前記第２投影図の少なくとも一部分が互いに重なり合わない関係を有する。
【請求項７】
請求項５または６において、
前記第１閉塞壁部および前記第２閉塞壁部は、前記キャップの長手方向において空間を介して互いに対向する。
【請求項８】
請求項５〜７のいずれか一項において、
前記第１閉塞壁部は、前記周壁部分と一体的に形成され、
前記第２閉塞壁部は、前記周壁部分と別の部品として形成される。
【請求項９】
請求項５〜７のいずれか一項において、
前記第１閉塞壁部および前記第２閉塞壁部は、前記周壁部分と別の部品として一体的に形成される。
【請求項１０】
請求項１〜９のいずれか一項において、
前記衛生部分は、ブリッスルが植毛されたブラシヘッドを有し、
前記装置本体は、歯ブラシとしての構成を有する。
【発明の詳細な説明】
【技術分野】
【０００１】
本発明は、衛生部分を有する装置本体と、衛生部分を覆うキャップとを有する口腔衛生装置に関する。
【背景技術】
【０００２】
人の口腔内は、多数の細菌が住み着いている。このため、口腔衛生装置により口腔内をケアしたとき、歯垢および食物滓に加えて多数の細菌が口腔衛生装置の衛生部分に付着する。使用者は、多くの場合、口腔衛生装置の使用後に衛生部分を水洗いする。しかし、水分が付着した状態で長時間にわたり放置された場合、適当な水分および養分が与えられた細菌が繁殖する。
【０００３】
特許文献１の携帯用殺菌装置は、細菌の繁殖を抑制するため、口腔衛生装置（歯ブラシ）を収納する本体ケースに殺菌用の光源を有する。
【先行技術文献】
【特許文献】
【０００４】
【特許文献１】特開平１１−３１８５６６号公報
【発明の概要】
【発明が解決しようとする課題】
【０００５】
上記携帯用殺菌装置の使用者は、ブリッスル束の殺菌作用が得られる状態で歯ブラシを携帯するためには、本体ケースと歯ブラシと併せて携帯することが必要になる。一方、本体ケースは、歯ブラシを収納するための空間を有するため、歯ブラシよりもサイズが大きい。このため、携帯性の観点からすると改善の余地が残されている。
【０００６】
なお、ここでは歯ブラシおよび殺菌用の光源を有する口腔衛生装置の課題について検討したが、殺菌以外の用途を有する光源を有する口腔衛生装置、および歯ブラシとは別の機能を有する口腔衛生装置（例えばステイン除去装置）においても上記の課題は概ね共通する。
【０００７】
本発明は、上記課題を解決するため、光の照射機能および優れた携帯性を有する口腔衛生装置を提供することを目的とする。
【課題を解決するための手段】
【０００８】
・本口腔衛生装置は、衛生部分を有する装置本体と、前記衛生部分を覆うキャップとを有し、前記キャップは、前記衛生部分が配置される内部空間と、前記内部空間と外部とを互いに連通する通気路とを有し、前記装置本体および前記キャップの少なくとも一方は、前記内部空間に光を照射する光源を有し、前記通気路は、前記光源の光が前記内部空間から漏れることを抑制する漏洩抑制構造を有することを特徴としている。
【０００９】
・上記口腔衛生装置において、前記キャップは、前記光源を有することが好ましい。
・上記口腔衛生装置において、前記光源は、前記キャップの内面において前記衛生部分と対向する箇所に位置することが好ましい。
【００１０】
・上記口腔衛生装置において、前記キャップは、前記装置本体の周囲を覆う周壁部分と、前記周壁部分の開口部分を閉塞する閉塞壁部とを有し、前記通気路は、前記閉塞壁部に形成されることが好ましい。
【００１１】
・上記口腔衛生装置において、前記閉塞壁部は、前記キャップの長手方向に配列される第１閉塞壁部および第２閉塞壁部を有し、前記第１閉塞壁部および前記第２閉塞壁部は、前記キャップの長手方向において前記キャップの先端側から前記第１閉塞壁部および前記第２閉塞壁部の順に位置し、前記第１閉塞壁部は、前記通気路の一方の開口部分としての第１通気孔を有し、前記第２閉塞壁部は、前記通気路の他方の開口部分としての第２通気孔を有することが好ましい。
【００１２】
・上記口腔衛生装置において、前記漏洩抑制構造は、前記キャップの長手方向に直交する仮想の平面を基準平面とし、この基準平面に投影される前記第１通気孔の投影図および前記第２通気孔の投影図をそれぞれ第１投影図および第２投影図として、前記第１投影図および前記第２投影図の少なくとも一部分が互いに重なり合わない関係を有することが好ましい。
【００１３】
・上記口腔衛生装置において、前記第１閉塞壁部および前記第２閉塞壁部は、前記キャップの長手方向において空間を介して互いに対向することが好ましい。
・上記口腔衛生装置において、前記第１閉塞壁部は、前記周壁部分と一体的に形成され、前記第２閉塞壁部は、前記周壁部分と別の部品として形成されることが好ましい。
【００１４】
・上記口腔衛生装置において、前記第１閉塞壁部および前記第２閉塞壁部は、前記周壁部分と別の部品として一体的に形成されることが好ましい。
・上記口腔衛生装置において、前記衛生部分は、ブリッスルが植毛されたブラシヘッドを有し、前記装置本体は、歯ブラシとしての構成を有することが好ましい。
【発明の効果】
【００１５】
本発明は、光の照射機能および優れた携帯性を有する口腔衛生装置を提供する。
【図面の簡単な説明】
【００１６】
【図１】本発明の第１実施形態の電動歯ブラシについて、（ａ）は部分断面構造を示す断面図、（ｂ）は（ａ）の平面構造を示す平面図、（ｃ）はキャップの上方部分の正面構造を示す正面図。
【図２】第１実施形態の電動歯ブラシの遮光板について、（ａ）は正面構造を示す正面図、（ｂ）は側面構造を示す側面図、（ｃ）は背面構造を示す背面図。
【図３】第１実施形態の電動歯ブラシについて、図１（ａ）のＡ−Ａ平面の断面構造を示す断面図。
【図４】第１実施形態の電動歯ブラシについて、キャップの閉塞壁部および遮光板の斜視構造を示す斜視図。
【図５】第１実施形態の電動歯ブラシのキャップおよび遮光板について、図１（ｂ）のＢ−Ｂ平面の断面構造を示す断面図。
【図６】第１実施形態の電動歯ブラシについて、殺菌装置の斜視構造を示す斜視図。
【図７】第１実施形態の電動歯ブラシについて、通電経路の構成を示す回路図。
【図８】本発明の第２実施形態の電動歯ブラシについて、キャップの閉塞壁部および遮光板の斜視構造を示す斜視図。
【図９】第２実施形態の電動歯ブラシのキャップおよび遮光板について、図１（ｂ）のＢ−Ｂ平面の断面構造を示す断面図。
【図１０】本発明の第３実施形態の電動歯ブラシの遮光部材について、（ａ）は正面構造を示す正面図、（ｂ）は背面構造を示す背面図、（ｃ）は側面構造を示す側面図、（ｄ）は（ａ）のＣ−Ｃ平面の断面構造を示す断面図、（ｅ）は（ｂ）のＤ−Ｄ平面の断面構造を示す断面図。
【図１１】第３実施形態の電動歯ブラシのキャップおよび遮光板について、図１（ｂ）のＢ−Ｂ平面の断面構造を示す断面図。
【図１２】本発明の第４実施形態の電動歯ブラシについて、（ａ）はブラシヘッドおよびその周辺の断面構造を示す断面図、（ｂ）は（ａ）の一点鎖線円の拡大構造を示す断面図。
【図１３】第４実施形態の電動歯ブラシについて、キャップの閉塞壁部および遮光板の斜視構造を示す斜視図。
【図１４】第４実施形態の電動歯ブラシのキャップおよび遮光板について、図１（ｂ）のＢ−Ｂ平面の断面構造を示す断面図。
【図１５】本発明のその他の実施形態の電動歯ブラシについて、（ａ）はキャップから閉塞壁部および遮光板を取り外した状態のキャップ本体、閉塞壁部、および遮光板の断面構造を示す断面図、（ｂ）はキャップの断面構造を示す断面図。
【図１６】本発明のその他の実施形態の電動歯ブラシのキャップおよび遮光板について、図１（ｂ）のＢ−Ｂ平面の断面構造を示す断面図。
【図１７】本発明のその他の実施形態の電動歯ブラシについて、（ａ）は図１（ａ）のＡ−Ａ平面の断面構造を示す断面図、（ｂ）は図１（ｂ）のＢ−Ｂ平面の断面構造を示す断面図。
【図１８】本発明のその他の実施形態の電動歯ブラシのキャップについて、（ａ）は平面構造を示す平面図、（ｂ）は（ａ）のＥ−Ｅ平面の断面構造を示す断面図。
【発明を実施するための形態】
【００１７】
（第１実施形態）
図１を参照して、電動歯ブラシ１の構成について説明する。
図１（ａ）に示されるように、電動歯ブラシ１は、使用者が把持する装置本体１０と、歯を清掃する複数のブリッスル束４０を有するブラシ体３０と、ブラシ体３０を保護するキャップ５０とを有する。ブリッスル束４０は、複数のブリッスル４１を有する。なお、電動歯ブラシ１は「口腔衛生装置」に相当する。また、ブラシ体３０は「衛生部分」に相当する。
【００１８】
キャップ５０は、装置本体１０への取り付けおよび装置本体１０からの取り外しが可能な構造を有する。キャップ５０は、装置本体１０に取り付けられた状態において、ブラシ体３０の全体を覆う。
【００１９】
ここで、電動歯ブラシ１についての各方向を次のように定義する。
（Ａ）電動歯ブラシ１の長手方向を「軸方向ＺＡ」とする。
（Ｂ）電動歯ブラシ１の正面視において軸方向ＺＡと直交する方向を「幅方向ＺＢ」とする。
（Ｃ）軸方向ＺＡおよび幅方向ＺＢに直交する方向を「奥行方向ＺＣ」とする。
（Ｄ）軸方向ＺＡにおいて装置本体１０からブラシ体３０に向かう方向を「上方ＺＡ１」とし、軸方向ＺＡにおいて上方ＺＡ１とは反対方向を「下方ＺＡ２」とする。
（Ｅ）幅方向ＺＢにおいて電動歯ブラシ１の正面視の左側に向かう方向を「左方ＺＢ１」とし、幅方向ＺＢにおいて左方ＺＢ１とは反対方向を「右方ＺＢ２」とする。
（Ｆ）奥行方向ＺＣにおいて、ブリッスル４１の基端部分から先端部分に向かう方向を「前方ＺＣ１」とし、奥行方向ＺＣにおいて前方ＺＣ１とは反対方向を「後方ＺＣ２」とする。
【００２０】
ブラシ体３０は、複数のブリッスル束４０と、装置本体１０への取り付けおよび装置本体１０からの取り外しが可能なブラシ柄３１と、複数のブリッスル束４０の植毛部分を構成するブラシヘッド３２とを有する。またこの他に、各ブリッスル束４０が植毛された導電部材３３と、導電部材３３と電気的に接続された接続ターミナル３４とを有する。
【００２１】
ブラシ柄３１およびブラシヘッド３２は、同じ材料により一体の部材として形成されている。導電部材３３は、ブラシヘッド３２のうちの外面に固定されている。接続ターミナル３４は、ブラシ柄３１およびブラシヘッド３２の内部においてブラシ柄３１およびブラシヘッド３２に固定されている。
【００２２】
ブラシ柄３１およびブラシヘッド３２の材料としては、非導電性を有する樹脂材料が用いられている。導電部材３３の材料としては、導電性を有する樹脂材料が用いられている。接続ターミナル３４の材料としては、導電性を有する金属材料が用いられている。各ブリッスル４１の材料としては、非導電性を有する樹脂材料が用いられている。
【００２３】
装置本体１０は、各種の部品を収容する空間を有する本体ケース１１と、電動歯ブラシ１の電源となる２次電池１２と、ブラシ体３０を振動させる振動発生装置１３と、振動発生装置１３の動作を制御する制御部２０とを有する。またこの他に、２次電池１２から制御部２０への電力の供給および遮断を切り替える電源スイッチ１９を有する。２次電池１２、振動発生装置１３、および制御部２０は、本体ケース１１の内部に位置する。
【００２４】
本体ケース１１は、導電性を有する導電ケース１８を有する。導電ケース１８は、本体ケース１１の上方ＺＡ１の部分に位置する。導電ケース１８の上端面は、キャップ５０と対向する本体ケース１１の上端面を形成している。導電ケース１８の材料としては、導電性を有する樹脂材料が用いられている。
【００２５】
振動発生装置１３は、ブラシ体３０に振動を伝達する駆動軸１４と、軸方向ＺＡにおいて駆動軸１４を振動させる電動モーター１５と、駆動軸１４を支持する転がり軸受１６と、転がり軸受１６を支持する軸受支持体１７とを有する。
【００２６】
駆動軸１４は、電動モーター１５の出力軸に固定され、かつブラシ柄３１の穴に嵌め込まれている。電動モーター１５は、本体ケース１１に固定されている。電動モーター１５としては、出力軸が軸方向ＺＡに往復駆動するリニアモータが用いられている。転がり軸受１６の外輪は、軸受支持体１７に固定されている。軸受支持体１７は、本体ケース１１に固定されている。駆動軸１４の材料、転がり軸受１６の外輪および転動体の材料、および軸受支持体１７の材料としては、金属材料が用いられている。
【００２７】
制御部２０は、電子部品が実装される回路基板２７と、導電ケース１８に接続される第１接続端子２１と、軸受支持体１７に接続される第２接続端子２２と、キャップ５０が装置本体１０に取り付けられたことを検知する磁気センサー２３とを有する。第１接続端子２１および第２接続端子２２は、回路基板２７上に固定されている。磁気センサー２３は、リード線（図示略）を介して回路基板２７と電気的に接続されている。
【００２８】
電源スイッチ１９としては、押ボタンスイッチが用いられている。電源スイッチ１９は、使用者により押し込み操作が行われる毎にオン信号またはオフ信号を制御部２０に送信する。
【００２９】
キャップ５０は、ブラシ体３０が配置される内部空間５０Ａを有するキャップ本体５１と、紫外線によりブリッスル束４０を殺菌する殺菌装置８０と、装置本体１０と殺菌装置８０とを電気的に接続する導電筒５２とを有する。またこの他に、内部空間５０Ａとキャップ５０の外部とを互いに連通する通気路６０と、殺菌装置８０の紫外線を遮る遮光板７０と、殺菌装置８０の外側から同装置８０を覆うカバー５３と、磁気センサー２３の検出対象としての磁石５４とを有する。なお、遮光板７０は「第２閉塞壁部」に相当する。
【００３０】
キャップ本体５１は、ブラシ体３０の周囲を覆う周壁部分５１Ａと、ブラシ体３０を上方ＺＡ１から覆う閉塞壁部５１Ｂと、殺菌装置８０が嵌め込まれる取付孔５１Ｃとを有する。閉塞壁部５１Ｂは、キャップ５０の内部空間５０Ａとキャップ５０の外部とを互いに連通する通気孔５１Ｄを有する。通気孔５１Ｄは、奥行方向ＺＣが長手となる長孔として形成されている。なお、閉塞壁部５１Ｂは「第１閉塞壁部」に相当する。また、通気孔５１Ｄは「第１通気孔」に相当する。
【００３１】
カバー５３は、キャップ本体５１の取付孔５１Ｃに固定されている。カバー５３の外面は、キャップ本体５１の外面の一部を形成している。カバー５３の材料としては、キャップ本体５１と同じ樹脂材料が用いられている。
【００３２】
磁石５４は、キャップ本体５１の下端部分の内面に固定されている。磁石５４の磁束は、キャップ５０が装置本体１０に取り付けられた状態において、磁気センサー２３に鎖交する。磁気センサー２３は、磁石５４の磁束に応じた出力を制御部２０に出力する。
【００３３】
殺菌装置８０は、奥行方向ＺＣにおいて空間を介してブリッスル束４０と対向する。また、図１（ｃ）に示されるように、ブラシヘッド３２の上端部分のブリッスル束４０と対向する。
【００３４】
遮光板７０は、周壁部分５１Ａのうちの閉塞壁部５１Ｂよりも下方ＺＡ２かつ殺菌装置８０よりも上方ＺＡ１の部分に位置する。遮光板７０および閉塞壁部５１Ｂは、軸方向ＺＡにおいて空間６２を介して互いに対向する。遮光板７０は、キャップ本体５１に圧入される。遮光板７０の材料としては、紫外線を透過しない黒色のポリエチレンテレフタレートが用いられる。
【００３５】
図２に示されるように、遮光板７０は、平板状の板本体７１と、遮光板７０を図１のキャップ本体５１に嵌め合わせる取付部分７２と、図１の閉塞壁部５１Ｂに対する軸方向ＺＡの位置を決める位置決め部分７３とを有する。板本体７１の材料としては、非導電性の樹脂材料が用いられている。
【００３６】
板本体７１は、導電性を有する導電部分７４と、板本体７１を軸方向ＺＡに貫通する２つの通気孔７５とを有する。導電部分７４の材料としては、導電性の樹脂材料が用いられている。通気孔７５は、幅方向ＺＢにおいて互いに離間する。各通気孔７５は、幅方向ＺＢに対して奥行方向ＺＣが長手となる長孔として形成されている。なお、通気孔７５は「第２通気孔」に相当する。
【００３７】
図３に示されるように、各取付部分７２は、キャップ本体５１の内面に接触する。このため、板本体７１の側面は、キャップ本体５１に対して隙間６１を介して位置する。
図４および図５に示されるように、通気路６０は、閉塞壁部５１Ｂの通気孔５１Ｄを通気路６０の一方の開口部分とし、遮光板７０の各通気孔７５を通気路６０の他方の開口部分とする空間により形成される。
【００３８】
図３に示されるように、二点鎖線により示される通気孔５１Ｄは、２つの通気孔７５の幅方向ＺＢの間に位置する。このため、通気路６０は、幅方向ＺＢおよび奥行方向ＺＣに沿う平面（以下、「基準平面」）に投影される通気孔５１Ｄの投影図は、基準平面に投影される各通気孔７５の投影図に重なり合わない関係を有する。このため、通気路６０は、図１の殺菌装置８０の紫外線がキャップ５０の内部空間５０Ａからキャップ５０の外部に漏れることを抑制する構造（以下、「漏洩抑制構造」）を有する。これにより、殺菌装置８０の紫外線は、遮光板７０および閉塞壁部５１Ｂにおいて反射するため、殺菌装置８０の紫外線は、キャップ５０の外部に漏れにくい。
【００３９】
図６を参照して、殺菌装置８０の詳細な構成について説明する。
殺菌装置８０は、殺菌作用を有する紫外線を図１の各ブリッスル束４０に照射するＬＥＤ８１と、ＬＥＤ８１が実装される回路基板８２と、図１の遮光板７０および図１の導電筒５２と電気的に接続する一対の端子８４とを有する。またこの他に、各端子８４に回路基板８２を固定する固定部材８５を有する。ＬＥＤ８１としては、チップ型の発光ダイオードが用いられている。なお、ＬＥＤ８１は「光源」に相当する。
【００４０】
回路基板８２は、ＬＥＤ８１と各端子８４とを電気的に接続する一対の配線部分８３と、配線部分８３が形成される実装面８２Ａと、実装面８２Ａ上に塗布されたコーティング層とを有する。またこの他に、ＬＥＤ８１に過大な電力が供給されることを抑制する保護抵抗８６（図７参照）を有する。
【００４１】
各端子８４は、固定部材８５により回路基板８２の実装面８２Ａに固定されている。また、図１のキャップ５０内において、導電筒５２と接触している。各端子８４は、金属板により形成されている。
【００４２】
図７を参照して、制御部２０の構成について説明する。
制御部２０は、２次電池１２への電力の供給状態を制御する充放電回路２４と、磁気センサー２３の出力に基づいて装置本体１０に対するキャップ５０の取付状態を検出する磁気検出回路２５と、ＬＥＤ８１の点灯時間を制御するタイマー回路２６とを有する。タイマー回路２６は、ＬＥＤ８１の点灯時間に相当する時間として、キャップ５０が装置本体１０に取り付けられてからの経過時間（以下、「取付後時間」）をカウントする。
【００４３】
電動歯ブラシ１の各部品は、以下の電気的な接続関係を有する。
（Ａ）２次電池１２の陽極は、制御部２０の第１接続端子２１と接続する。
（Ｂ）第１接続端子２１は、導電ケース１８と接続する。
（Ｃ）導電ケース１８は、導電筒５２と接続する。
（Ｄ）導電筒５２は、殺菌装置８０の一方の端子８４と接続する。
（Ｅ）２次電池１２の陰極は、制御部２０の第２接続端子２２と接続する。
（Ｆ）第２接続端子２２は、軸受支持体１７と接続する。
（Ｇ）軸受支持体１７は、転がり軸受１６と接続する。
（Ｈ）転がり軸受１６は、駆動軸１４と接続する。
（Ｉ）駆動軸１４は、接続ターミナル３４と接続する。
（Ｊ）接続ターミナル３４は、導電部材３３と接続する。
（Ｋ）導電部材３３は、遮光板７０と接続する。
（Ｌ）遮光板７０は、殺菌装置８０の他方の端子８４と接続する。
【００４４】
電動歯ブラシ１の通電回路について説明する。
電動歯ブラシ１は、キャップ５０が装置本体１０に取り付けられているとき、殺菌装置８０に電力を供給するための通電回路、すなわち図７に示される通電回路を形成する。この通電回路は、キャップ５０において通電経路を形成するキャップ通電経路と、ブラシ体３０において通電経路を形成するブラシ体通電経路と、装置本体１０において通電経路を形成する第１本体通電経路および第２本体通電経路とを有する。
【００４５】
各通電経路の構成内容を以下に示す。
（Ａ）キャップ通電経路は、キャップ５０の導電筒５２と、殺菌装置８０内の通電経路と、キャップ５０の遮光板７０とにより構成されている。
（Ｂ）ブラシ体通電経路は、ブラシ体３０の接続ターミナル３４および導電部材３３により構成されている。
（Ｃ）第１本体通電経路は、２次電池１２の陽極から制御部２０の第１接続端子２１までの通電経路と、装置本体１０の導電ケース１８とにより構成されている。
（Ｄ）第２本体通電経路は、２次電池１２の陰極から制御部２０の第２接続端子２２までの通電経路、装置本体１０の軸受支持体１７、転がり軸受１６、および駆動軸１４により構成されている。
【００４６】
通電回路は、２次電池１２、制御部２０、第１接続端子２１、導電ケース１８、導電筒５２、殺菌装置８０、遮光板７０、導電部材３３、接続ターミナル３４、駆動軸１４、転がり軸受１６、軸受支持体１７、第２接続端子２２、および制御部２０の順に電流を流す。これにより、２次電池１２から殺菌装置８０に電力が供給される。
【００４７】
殺菌装置８０の点灯に関する動作を以下に示す。
ＬＥＤ８１は、キャップ５０が装置本体１０に取り付けられたとき、２次電池１２から供給された電力により点灯する。また、制御部２０により電力の供給が停止されるまで継続して点灯する。
【００４８】
制御部２０は、磁気センサー２３から信号を受信したとき、図７のタイマー回路２６により取付後時間のカウントを開始する。そして、取付後時間が所定時間以上のとき、すなわちＬＥＤ８１の点灯時間が所定時間以上のとき、ＬＥＤ８１を消灯する。なお、所定時間は、ＬＥＤ８１により各ブリッスル束４０を十分に殺菌するために必要な時間に相当し、試験等の結果に基づいて予め設定されている。
【００４９】
本実施形態の電動歯ブラシ１は、以下の効果を奏する。
（１）電動歯ブラシ１のキャップ５０は、ブリッスル束４０を殺菌する殺菌装置８０を有する。この構成によれば、歯ブラシを収容するためのケースに殺菌装置を有する構成とは異なり、ケースを携帯しなくともブリッスル束４０の殺菌効果を得ることが可能になる。すなわち電動歯ブラシ１はブリッスル束４０の殺菌作用および優れた携帯性を有する。
【００５０】
（２）キャップ５０は、キャップ５０の内部空間５０Ａとキャップ５０の外部を互いに連通する通気路６０を有する。通気路６０は、殺菌装置８０の紫外線がキャップ５０の内部空間５０Ａからキャップ５０の外部に漏れることを抑制する漏洩抑制構造を有する。この構成によれば、キャップ５０の内部空間５０Ａとキャップ５０の外部との間に空気が流通するため、ブラシ体３０を乾燥させることができる。また、殺菌装置８０の紫外線がキャップ５０の外部に漏洩することが抑制される。
【００５１】
（３）２次電池１２は、殺菌装置８０の電源を兼ねる。この構成によれば、２次電池１２とは別の殺菌装置８０の専用の電源を有する構成と比較して、電動歯ブラシ１の部品点数が少なくなる。また、電動歯ブラシ１が軽量化する。
【００５２】
（４）電動歯ブラシ１は、キャップ５０が装置本体１０に取り付けられたとき、殺菌装置８０のＬＥＤ８１が点灯する。そして、ＬＥＤ８１の点灯状態において、キャップ５０が装置本体１０から取り外されたとき、ＬＥＤ８１が消灯する。この構成によれば、使用者がＬＥＤ８１の光を直接的に見ることが抑制される。
【００５３】
（第２実施形態）
図８に示される本実施形態の電動歯ブラシ１は、図１に示される第１実施形態の電動歯ブラシ１との主要な相違点として、次の相違点を有する。すなわち、第１実施形態のキャップ５０は、キャップ本体５１の閉塞壁部５１Ｂと１つの遮光板７０とを有する。一方、本実施形態のキャップ５０は、キャップ本体５１の閉塞壁部５１Ｂと、２つの遮光板７０と、１つの遮光板９０とを有する。以下では第１実施形態の電動歯ブラシ１と異なる点の詳細を説明し、同実施形態と共通する構成については同一の符号を付してその説明の一部または全部を省略する。
【００５４】
遮光板９０は、板本体７１の幅方向ＺＢの中央部分に１つの通気孔９１を有する。通気孔９１は、遮光板７０の通気孔７５と同形状を有する。遮光板９０の材料としては、紫外線を透過しない黒色のポリエチレンテレフタレートが用いられる。
【００５５】
２つの遮光板７０のうちの閉塞壁部５１Ｂに隣り合う一方の遮光板７０の各通気孔７５と、他方の遮光板７０の各通気孔７５は、幅方向ＺＢに同位置となる。遮光板９０の通気孔９１は、遮光板７０の各通気孔７５の幅方向ＺＢの間に位置する。このため、通気路６０は、漏洩抑制構造を有する。これにより、殺菌装置８０の紫外線は、一方の遮光板７０、他方の遮光板７０、遮光板９０、および閉塞壁部５１Ｂにおいて反射するため、殺菌装置８０の紫外線は、キャップ５０の外部に漏れにくい。
【００５６】
図９に示されるように、閉塞壁部５１Ｂ、２つの遮光板７０、および遮光板９０は、上方ＺＡ１から下方ＺＡ２に向けて、閉塞壁部５１Ｂ、一方の遮光板７０、遮光板９０、および他方の遮光板７０の順に位置する。一方の遮光板７０は、位置決め部分７３が閉塞壁部５１Ｂに接触することにより閉塞壁部５１Ｂから下方ＺＡ２に空間６３を介して互いに対向する。遮光板９０は、位置決め部分７３が一方の遮光板７０に接触することにより一方の遮光板７０から下方ＺＡ２に空間６４を介して互いに対向する。他方の遮光板７０は、位置決め部分７３が遮光板９０に接触することにより遮光板９０から下方ＺＡ２に空間６５を介して互いに対向する。他方の遮光板７０は、キャップ本体５１のうちの殺菌装置８０よりも上方ＺＡ１の部分に位置する。
【００５７】
通気路６０は、閉塞壁部５１Ｂの通気孔５１Ｄを通気路６０の一方の開口部分とし、他方の遮光板７０の各通気孔７５を通気路６０の他方の開口部分とする空間により形成される。なお、閉塞壁部５１Ｂは「第１閉塞壁部」に相当する。また、閉塞壁部５１Ｂの通気孔５１Ｄは「第１通気孔」に相当する。また、他方の遮光板７０は「第２閉塞壁部」に相当する。また、他方の遮光板７０の通気孔７５は「第２通気孔」に相当する。
【００５８】
本実施形態の電動歯ブラシ１は、第１実施形態の電動歯ブラシ１の（１）〜（４）の効果に加え、以下の効果を奏する。
（５）電動歯ブラシ１のキャップ５０は、複数の遮光板７０，９０を有する。通気路６０の漏洩抑制構造は、一方の遮光板７０の各通気孔７５、他方の遮光板７０の各通気孔７５、遮光板９０の通気孔９１、および閉塞壁部５１Ｂの通気孔５１Ｄを有する。このため、殺菌装置８０の紫外線が通気路６０を介してキャップ５０の外部に漏洩することを抑制する効果が高くなる。
【００５９】
（第３実施形態）
図１０に示される本実施形態の電動歯ブラシ１は、図１に示される第１実施形態の電動歯ブラシ１との主要な相違点として、次の相違点を有する。すなわち、第１実施形態のキャップ５０は、キャップ本体５１の閉塞壁部５１Ｂと遮光板７０とを有する。一方、本実施形態のキャップ５０は、閉塞壁部５１Ｂおよび遮光板７０に代えて、遮光部材１００を有する。以下では第１実施形態の電動歯ブラシ１と異なる点の詳細を説明し、同実施形態と共通する構成については同一の符号を付してその説明の一部または全部を省略する。
【００６０】
遮光部材１００は、内部空間１０６を有する袋状の本体部分１０１と、遮光部材１００を図１１のキャップ本体５１に取り付ける取付部分１０２と、導電材料により形成された導電部分１０３とを有する。またこの他に、本体部分１０１のうちの導電部分１０３が形成される正面側の部分に形成された２つの正面側通気孔１０４と、本体部分１０１のうちの背面側の部分に形成された１つの背面側通気孔１０５とを有する。遮光部材１００の材料としては、紫外線を透過しない黒色のポリエチレンテレフタレートが用いられる。なお、遮光部材１００は「周壁部分の開口部分に取り付けられる閉塞壁部」に相当する。
【００６１】
図１０（ａ）および図１０（ｂ）に示されるように、遮光部材１００の外郭は、図２に示される第１実施形態の遮光板７０の外郭と同様の形状を有する。
正面側通気孔１０４は、本体部分１０１の幅方向ＺＢにおいて互いに離間する。各正面側通気孔１０４は、幅方向ＺＢに対して奥行方向ＺＣが長手となる長孔として形成されている。図１０（ｄ）に示されるように、正面側通気孔１０４は、本体部分１０１の内部空間１０６と遮光部材１００の外部とを互いに連通する。
【００６２】
図１０（ｂ）に示されるように、本体部分１０１の幅方向ＺＢの中央部分に位置する。背面側通気孔１０５は、幅方向ＺＢに対して奥行方向ＺＣが長手となる長孔として形成されている。図１０（ｅ）に示されるように、背面側通気孔１０５は、本体部分１０１の内部空間１０６と遮光部材１００の外部とを互いに連通する。
【００６３】
図１１に示されるように、遮光部材１００は、キャップ本体５１の周壁部分５１Ａの開口部分に圧入される。本体部分１０１の正面側の部分は、本体部分１０１の背面側の部分よりも下方ＺＡ２に位置する。すなわち、正面側通気孔１０４は、背面側通気孔１０５よりも下方ＺＡ２に位置する。通気路６０は、背面側通気孔１０５を通気路６０の一方の開口部分とし、正面側通気孔１０４を通気路６０の他方の開口部分とする空間により形成される。なお、遮光部材１００の本体部分１０１の背面側の部分は「第１閉塞壁部」に相当する。また、遮光部材１００の本体部分１０１の正面側の部分は「第２閉塞壁部」に相当する。また、背面側通気孔１０５は「第１通気孔」に相当する。また、正面側通気孔１０４は「第２通気孔」に相当する。
【００６４】
図１０（ｂ）に示されるように、背面側通気孔１０５は、正面側通気孔１０４の幅方向ＺＢの間に位置する。このため、通気路６０は、基準平面に投影される背面側通気孔１０５の投影図が基準平面に投影される各正面側通気孔１０４の投影図に重なり合わない関係を有する。このため、通気路６０は、漏洩抑制構造を有する。これにより、殺菌装置８０の紫外線は、本体部分１０１の外面および本体部分１０１の内部において反射するため、キャップ５０の外部に漏れにくい。
【００６５】
本実施形態の電動歯ブラシ１は、第１実施形態の電動歯ブラシ１が奏する（１）〜（４）の効果と同様の効果に加え、以下の効果を奏する。
（６）電動歯ブラシ１のキャップ５０は、遮光部材１００を有する。遮光部材１００は、通気路６０を有する。この構成によれば、通気路６０が遮光部材１００の一部品により形成されるため、複数の部品により通気路６０を形成する構成と比較して、電動歯ブラシ１の部品点数が少なくなる。
【００６６】
（第４実施形態）
図１２に示される本実施形態の電動歯ブラシ１は、図１に示される第１実施形態の電動歯ブラシ１との主要な相違点として、次の相違点を有する。すなわち、第１実施形態の電動歯ブラシ１の遮光板７０は、通電回路の一部を構成する。一方、本実施形態の電動歯ブラシ１のブリッスル束４０は、遮光板７０に代えて通電回路の一部を構成する。キャップ５０は、第１実施形態の遮光板７０に代えて、図８に示される遮光板９０を有する。以下では第１実施形態の電動歯ブラシ１と異なる点の詳細を説明し、同実施形態と共通する構成については同一の符号を付してその説明の一部または全部を省略する。
【００６７】
図１２に示されるように、キャップ５０は、ブリッスル束４０および殺菌装置８０の端子８４と接触する導電リング５５を有する。導電リング５５は、キャップ本体５１に固定される。導電リング５５は、キャップ５０のうちのブリッスル束４０と奥行方向ＺＣにおいて対向する部分に位置する。導電筒５２は、キャップ本体５１のうちのブリッスル束４０よりも下方ＺＡ２の部分に固定されている。導電筒５２は、殺菌装置８０の端子８４に接触する。
【００６８】
各ブリッスル束４０は、複数のブリッスル４１と、複数のブリッスル４１が互いに溶着された溶着部分４４とを有する。図１２（ｂ）に示されるように、各ブリッスル４１は、導電性を有する芯部４２と、非導電性を有する鞘部４３とを有する。鞘部４３は、芯部４２の外周面を被覆する。芯部４２の先端部分４２Ａは、鞘部４３よりも前方ＺＣ１に突出する。
【００６９】
各ブリッスル束４０の各先端部分４２Ａは、図１の装置本体１０にキャップ５０が取り付けられたとき、導電リング５５の内面に接触する。これにより、図１の２次電池１２の陰極および殺菌装置８０の他方の端子８４は、図１に示される制御部２０の第２接続端子２２、軸受支持体１７、転がり軸受１６、駆動軸１４、図１２に示される接続ターミナル３４、導電部材３３、ブリッスル束４０の芯部４２を介して互いに接続される。
【００７０】
図１３に示されるように、キャップ本体５１の閉塞壁部５１Ｂは、第１実施形態の閉塞壁部５１Ｂの通気孔５１Ｄに代えて、２つの通気孔５１Ｅを有する。通気孔５１Ｅは、閉塞壁部５１Ｂの幅方向ＺＢにおいて互いに離間する。各通気孔５１Ｅは、通気孔５１Ｄと同形状を有する。なお、閉塞壁部５１Ｂは「第１閉塞壁部」に相当する。また、通気孔５１Ｅは「第１通気孔」に相当する。
【００７１】
図１４に示されるように、遮光板９０は、位置決め部分７３が閉塞壁部５１Ｂに接触することにより閉塞壁部５１Ｂから下方ＺＡ２に空間６６を介して互いに対向する。
通気路６０は、閉塞壁部５１Ｂの各通気孔５１Ｅを通気路６０の一方の開口部分とし、遮光板９０の通気孔９１を通気路６０の他方の開口部分とする空間により形成される。なお、遮光板９０は「第２閉塞壁部」に相当する。また、通気孔９１は「第２通気孔」に相当する。
【００７２】
遮光板９０の通気孔９１は、閉塞壁部５１Ｂの通気孔５１Ｅの幅方向ＺＢの間に位置する。すなわち、通気路６０は、基準平面に投影される遮光板９０の通気孔９１の投影図が基準平面に投影される閉塞壁部５１Ｂの各通気孔５１Ｅの投影図に重なり合わない関係を有する。このため、通気路６０は、漏洩抑制構造を有する。これにより、殺菌装置８０の紫外線は、遮光板９０および閉塞壁部５１Ｂにおいて反射するため、キャップ５０の外部に漏れにくい。また、本実施形態の電動歯ブラシ１は、第１実施形態の電動歯ブラシ１が奏する（１）〜（４）の効果と同様の効果を奏する。
【００７３】
（その他の実施形態）
本発明は、第１〜第４実施形態とは別の実施形態を含む。以下、本発明のその他の実施形態としての各実施形態の変形例を示す。なお、以下の各変形例は、互いに組み合わせることもできる。
【００７４】
・第２実施形態のキャップ５０は、２つの遮光板７０と、１つの遮光板９０とを有する。変形例のキャップ５０は、３以上の自然数であるＮ個の遮光板７０と、（Ｎ−１）個の遮光板９０とを有する。また、別の変形例のキャップ５０は、自然数であるＭ個の遮光板７０と、Ｍ個の遮光板９０とを有する。上記変形例のキャップ５０において、遮光板７０および遮光板９０は、軸方向ＺＡにおいて交互に配置される。
【００７５】
・第３実施形態のキャップ５０は、１つの遮光部材１００を有する。一方、変形例のキャップ５０は、複数の遮光部材１００を有する。
・第３実施形態の遮光部材１００は、正面側通気孔１０４が背面側通気孔１０５よりも下方ＺＡ２に位置する。一方、変形例の遮光部材１００は、正面側通気孔１０４が背面側通気孔１０５よりも上方ＺＡ１に位置する。本体部分１０１は、正面側の部分の導電部分１０３に代えて、背面側の部分に導電部分１０３を有する。なお、遮光部材１００の本体部分１０１の正面側の部分は「第１閉塞壁部」に相当する。また、遮光部材１００の本体部分１０１の背面側の部分は「第２閉塞壁部」に相当する。また、正面側通気孔１０４は「第１通気孔」に相当する。また、背面側通気孔１０５は「第１通気孔」に相当する。
【００７６】
・第１、第２、および第４実施形態のキャップ５０は、周壁部分５１Ａおよび閉塞壁部５１Ｂが同じ材料により一体の部材として形成されている。一方、変形例のキャップ５０は、図１５に示されるように、周壁部分５１Ａおよび閉塞壁部５１Ｂが個別の部材として形成されている。
【００７７】
閉塞壁部５１Ｂは、周壁部分５１Ａの開口部分に位置する。遮光板７０は、周壁部分５１Ａのうちの閉塞壁部５１Ｂよりも下方ＺＡ２の部分に位置する。なお、閉塞壁部５１Ｂは「第１閉塞壁部」に相当する。また、遮光板７０は「第２閉塞壁部」に相当する。また、閉塞壁部５１Ｂの通気孔５１Ｄは「第１通気孔」に相当する。また、遮光板７０の各通気孔７５は「第２通気孔」に相当する。
【００７８】
・第１〜第４実施形態のキャップ５０は、遮光板７０，９０およびキャップ本体５１の閉塞壁部５１Ｂが平板状を有している。一方、変形例のキャップ５０は、図１６に示されるように、キャップ本体５１の閉塞壁部５１Ｂから下方ＺＡ２に向けて突出する突起５１Ｆを有する。通気孔５１Ｄは、突起５１Ｆを軸方向ＺＡに貫通する。遮光板７０は、板本体７１から上方ＺＡ１に向けて突出する２つの突起７６を有する。通気孔７５は、突起７６を軸方向ＺＡに貫通する。
【００７９】
・第１、第２、および第４実施形態のキャップ５０は、キャップ本体５１の閉塞壁部５１Ｂと遮光板７０との軸方向ＺＡの間に空間を有する。一方、変形例のキャップ５０は、図１７（ｂ）に示されるように、キャップ本体５１の閉塞壁部５１Ｂと遮光板７０との軸方向ＺＡの間に空間を有していない。遮光板７０の板本体７１は、閉塞壁部５１Ｂに接触する。また、位置決め部分７３を省略している。
【００８０】
図１７（ａ）に示されるように、二点鎖線により示される通気孔５１Ｄの一部は、遮光板７０の各通気孔７５と幅方向ＺＢに重ならない部分を有する。このため、通気路６０は、基準平面に投影される遮光板７０の各通気孔７５の投影図の一部が基準平面に投影される閉塞壁部５１Ｂの通気孔５１Ｄの投影図の一部に重なり合わない関係を有する。すなわち、通気路６０は、漏洩抑制構造を有する。
【００８１】
・第１〜第４実施形態の遮光板７０，９０、および遮光部材１００は、紫外線を透過しない黒色のポリエチレンテレフタレートにより形成されている。一方、変形例の遮光板７０，９０、および遮光部材１００は、紫外線を透過しない黒色のポリプロピレンにより形成される。
【００８２】
・第１および第４実施形態の通気路６０の漏洩抑制構造は、キャップ本体５１の閉塞壁部５１Ｂと、遮光板７０，９０とを有する。一方、変形例の通気路６０の漏洩抑制構造は、図１８に示されるように、キャップ本体５１の閉塞壁部５１Ｂを有する。閉塞壁部５１Ｂは、上方ＺＡ１に向かうにつれて左方ＺＢ１に傾斜する通気孔５１Ｇと、導電性材料により形成された導電部分５１Ｈとを有する。導電部分５１Ｈは、殺菌装置８０と図１のブラシ体３０の導電部材３３とを電気的に接続する。
【００８３】
通気孔５１Ｇの下方ＺＡ２の開口部分および通気孔５１Ｇの上方ＺＡ１の開口部分は、幅方向ＺＢの位置が異なる。このため、通気路６０は、基準平面に投影される通気孔５１Ｇの下方ＺＡ２の開口部分の投影図が基準平面に投影される通気孔５１Ｇの上方ＺＡ１の開口部分の投影図に重なり合わない関係を有する。すなわち、通気路６０は、漏洩抑制構造を有する。
【００８４】
・第１〜第４実施形態の電動歯ブラシ１は、第１本体通電経路を２次電池１２の陽極に接続し、かつ第２本体通電経路を２次電池１２の陰極に接続している。一方、変形例の電動歯ブラシ１は、第１本体通電経路を２次電池１２の陰極に接続し、かつ第２本体通電経路を２次電池１２の陽極に接続する。この場合、保護抵抗８６はＬＥＤ８１の陽極と遮光板７０を互いに電気的に接続する。
【００８５】
・第１〜第４実施形態の電動歯ブラシ１は、２次電池１２がＬＥＤ８１の電源を兼ねる。一方、変形例の電動歯ブラシ１は、ＬＥＤ８１の電源として２次電池１２とは別の電源を有する。
【００８６】
・第１〜第４実施形態のキャップ５０は、装置本体１０に直接的に取り付けられる構成を有する。一方、変形例のキャップ５０は、ブラシ体３０に取り付けられる構成、すなわちブラシ体３０を介して間接的に装置本体１０に取り付けられる構成を有する。
【００８７】
・第１〜第４実施形態の殺菌装置８０は、殺菌作用を有する波長の紫外線を照射するＬＥＤ８１を有する。一方、変形例の殺菌装置８０は、殺菌作用を有する波長の紫外線を照射する蛍光灯を有する。
【００８８】
・第１〜第４実施形態の殺菌装置８０は、紫外線を照射するＬＥＤ８１を有する。一方、変形例の殺菌装置８０は、紫外線以外の波長の光を照射する光源を有する。この光源の一例としては、歯の清掃時に口腔内を照らすための白色光の波長を照射する光源が挙げられる。
【００８９】
・第１〜第４実施形態のＬＥＤ８１は、幅方向ＺＢにおいて第２通気孔（通気孔７５，１０４，９１）と異なる箇所に位置する。一方、変形例のＬＥＤ８１は、幅方向ＺＢにおいて第２通気孔（通気孔７５，１０４，９１）と同じ箇所に位置する。この変形例の電動歯ブラシ１も各実施形態の電動歯ブラシ１と同様の効果を奏する。要するに、各実施形態の効果は、各キャップ５０の内部空間５０Ａに光を照射する位置にＬＥＤ８１を有する構成であれば、各実施形態とは別の位置にＬＥＤ８１を有する構成においても得られる。
【００９０】
・第１〜第４実施形態の電動歯ブラシ１は、キャップ５０に１つの殺菌装置８０を有する。一方、変形例の電動歯ブラシ１は、キャップ５０に複数の殺菌装置８０を有する。
・第１〜第４実施形態の電動歯ブラシ１は、キャップ５０に殺菌装置８０を有する。一方、変形例の電動歯ブラシ１は、装置本体１０に殺菌装置８０を有する。また、別の変形例の電動歯ブラシ１は、キャップ５０および装置本体１０に殺菌装置８０を有する。また、別の変形例の電動歯ブラシ１は、キャップ５０および装置本体１０の少なくとも一方に加えて、ブラシ体３０に殺菌装置を有する。これら変形例の電動歯ブラシ１のうち装置本体１０およびブラシ体３０に殺菌装置を有する構成は、ブラシ体３０のブラシ柄３１に殺菌装置８０の紫外線を透過させる透光部材を有する。これにより、殺菌装置８０の紫外線がブリッスル束４０に照射される。
【００９１】
・第１〜第４実施形態のブラシ体３０は、装置本体１０から取り外すことが可能な構成を有する。一方、変形例のブラシ体３０は、装置本体と一体化している。
・本発明は、第１〜第４実施形態に例示される電動歯ブラシ１以外の他の口腔衛生装置に適用することもできる。他の口腔衛生装置としては、例えばステインケア装置が挙げられる。要するに、光源を有する口腔衛生装置であれば、いずれの口腔衛生装置に対しても本発明を適用することができる。
【符号の説明】
【００９２】
１…電動歯ブラシ（口腔衛生装置）、１０…装置本体、３０…ブラシ体（衛生部分）、３２…ブラシヘッド、４０…ブリッスル束、４１…ブリッスル、５０…キャップ、５０Ａ…内部空間、５１Ａ…周壁部分、５１Ｂ…閉塞壁部（第１閉塞壁部）、５１Ｄ…通気孔（第１通気孔）、５１Ｅ…通気孔（第１通気孔）、６０…通気路、６２…空間、６３…空間、６４…空間、６５…空間、６６…空間、７０…遮光板（第２閉塞壁部）、７５…通気孔（第２通気孔）、８０…殺菌装置、８１…ＬＥＤ（光源）、９０…遮光板、９１…通気孔（第２通気孔）、１００…遮光部材（閉塞壁部）。
【図１】
2013111128.tif 000003
【図２】
2013111128.tif 000004
【図３】
2013111128.tif 000005
【図４】
2013111128.tif 000006
【図５】
2013111128.tif 000007
【図６】
2013111128.tif 000008
【図７】
2013111128.tif 000009
【図８】
2013111128.tif 000010
【図９】
2013111128.tif 000011
【図１０】
2013111128.tif 000012
【図１１】
2013111128.tif 000013
【図１２】
2013111128.tif 000014
【図１３】
2013111128.tif 000015
【図１４】
2013111128.tif 000016
【図１５】
2013111128.tif 000017
【図１６】
2013111128.tif 000018
【図１７】
2013111128.tif 000019
【図１８】
2013111128.tif 000020